(57)【特許請求の範囲】
【請求項１】
ディスクを回転させる機構と、
前記ディスクに対して回転中心位置を決めるための中心位置決め軸と前記ディスク面を回転保持させるためのディスクチャック部とを有するチャッキング機構と、
ハブを有さずセンターホールにより前記チャッキング機構にチャッキングされる第１のディスクがセットされる領域と前記中心位置決め軸と嵌合する中心穴を有するハブにより前記チャッキング機構にチャッキングされる第２のディスクを収納するカートリッジがセットされる領域と該カートリッジを係止するための係止手段とを有するディスクローディング機構と、
回転中のディスクからの情報の記録又は再生を行う光ピックアップと、を有し、
前記ディスクチャック部は、
前記中心位置決め軸と同軸でその軸に垂直な平面で切り取られた前記第１及び第２のディスクを受けるディスク受け面が形成された円筒状のディスク受け台と、該ディスク受け台の円筒内部に位置し、前記中心位置決め軸に対して摺動する弾性体により支持された前記第１のディスクのセンターホールと嵌合するディスク面位置決め部材とを備え、
前記第１及び第２のディスクがチャッキングされていない状態では、前記ディスク面位置決め部材は前記弾性体により前記ディスク面位置決め部材の外径部分が前記ディスク受け面よりも突き出るように支持されており、
前記第１のディスクがチャッキングされる状態では、該第１のディスクのセンターホールが前記ディスク面位置決め部材の外径部分と嵌合することにより回転中心位置を決め、
前記第２のディスクがチャッキングされる状態では、該第２のディスクのハブが前記ディスク面位置決め部材を押圧して前記弾性体を圧縮し、前記ハブに設けられた中心穴が前記中心位置決め軸と嵌合することにより回転中心位置を決めることを特徴とするディスク駆動装置。
【請求項２】
前記ディスクローディング機構を、前記第１のディスク又は前記カートリッジがセットされる領域と前記係止手段とが略同一のローディング領域内に形成されたキャディーにより構成したことを特徴とする請求項１記載の光ディスク駆動装置。
【請求項３】
前記キャディーは、さらに光ピックアップ部をアクセスするためのアクセス用開口部と、このアクセス用開口部とは反対側の面に前記第１のディスクを押えるディスク面押え部材を挿入するための挿入用開口部とを有することを特徴とする請求項２記載の光ディスク駆動装置。
【請求項４】
ディスクを回転させる機構と、
前記ディスクに対して回転中心位置を決めるための中心位置決め軸と前記ディスク面を回転保持させるためのディスクチャック部とを有するチャッキング機構と、
ハブを有さずセンターホールにより前記チャッキング機構にチャッキングされる第１のディスクがセットされる領域と前記中心位置決め軸と嵌合する中心穴を有するハブにより前記チャッキング機構にチャッキングされる第２のディスクを収納するカートリッジがセットされる領域と該カートリッジを係止するための係止手段とを有するディスクローディング機構と、
前記ディスクチャッキング機構と前記ディスクを挟んで反対側から前記第１のディスク又は前記カートリッジを押圧するディスク面押え機構と、
回転中のディスクからの情報の記録又は再生を行う光ピックアップと、を有し、
前記ディスクチャック部は、
前記中心位置決め軸と同軸でその軸に垂直な平面で切り取られた前記第１及び第２のディスクを受けるディスク受け面が形成された円筒状のディスク受け台を備え、
前記ディスク面押え機構は、
前記第１のディスクのディスク面を押圧する押圧部と該押圧部よりも突出し、中心穴を有する位置決め部と、を備え、
前記第１のディスクがチャッキングされる状態では、前記押圧部により前記第１のディスクのディスク面を押圧しながら前記位置決め部の中心穴に前記中心位置決め軸を嵌合させるとともに、前記位置決め部を前記第１のディスクのセンターホールに嵌合させることにより回転中心位置を決め、
前記第２のディスクがチャッキングされる状態では、前記ディスク面押え機構がカートリッジを押圧しながら前記ハブに設けられた中心穴が前記中心位置決め軸と嵌合することにより回転中心位置を決めることを特徴とするディスク駆動装置。
【請求項５】
前記ディスクローディング機構を、前記第１のディスク又は前記カートリッジがセットされる領域と前記係止手段とが略同一のローディング領域内に形成されたキャディーにより構成したことを特徴とする請求項４記載の光ディスク駆動装置。
【請求項６】
前記キャディーは、さらに光ピックアップ部をアクセスするためのアクセス用開口部と、前記ディスク面押え機構とを有することを特徴とする請求項５記載の光ディスク駆動装置。
【発明の詳細な説明】
【０００１】
【産業上の利用分野】
本発明は、ＣＤ（コンパクトディスク）等の再生専用型媒体と、光磁気ディスク等の書換型記録媒体とを同一筐体内にローディングすることが可能な光ディスク駆動装置に関する。
【０００２】
【従来の技術】
従来、ＣＤは音楽用のディスクとして登場し、最近ではＣＤ−ＲＯＭ、ＣＤ−Ｉといったコンピュータ用のデータを蓄積する媒体として広く用いられてきており、パソコン内にＣＤ−ＲＯＭ用のドライブ装置を内蔵するものも登場している。また、このようなＣＤ系の再生専用型媒体の他に、近年、大容量で書換えが可能な書換型記録媒体（例えば、光磁気記録媒体、相変化型記録媒体、追記型記録媒体など）の使用が広まっており、このような書換型記録媒体をパソコンのデータ蓄積装置として使用することはデータサイズが肥大化していく現在、極めて有用である。
【０００３】
再生専用型媒体は、基本的にディスク面がむき出しの状態となっており、トレイ又はキャディー（後述する図９参照）と呼ばれる専用のケースに収納された状態で使用される。図１０は、再生専用型媒体の一例としてＣＤ１の外観形状を示すものである。円形のディスク面２（基板）の中心部には、直径１５ｍｍのセンターホール３が設けられており、このセンターホール３がドライブ装置の略１５ｍｍ径のスピンドルに嵌合し回転する。一方、書換型記録媒体は、一般にカートリッジと呼ばれる専用のケースに収納された状態で用いられる。図１１は、書換型記録媒体の一例として３．５インチの光磁気記録媒体の外観形状を示すものである。カートリッジ４内には光磁気ディスク５（光磁気記録媒体）が収納されており、中心部にはチャッキング用のハブ６が取付けられている。カートリッジ４の一辺には、ディスク面を部分的に覆うシャッター７と、このシャッター７をスライドさせるシャッタースライダー８とが取付けられている。この場合、シャッター７を開けた状態にして、光ピックアップ部をアクセスさせることによって、光磁気ディスク５のディスク面上の情報を読取ったり、データを記録したりすることができる。なお、このようなカートリッジ４内に光磁気ディスク５を収納した公知例としては、特開昭６３−２１３１８３号公報に開示されているものがある。
【０００４】
図１２は、図１１のハブ６付き光磁気ディスク５をチャッキングするためのチャッキング機構の一例を示すものである。ハブ６の中心穴は、ドライブ装置に設けられたチャッキング機構７のセンターピン８と嵌合することによって中心位置が決まり、そのセンターピン８と同軸で一定の内径と外径とをもつディスク受け台９における前記センターピン８に垂直な円周状のディスク受け面９で光磁気ディスク５のディスク面を支持する。また、ハブ６の底面には磁石１１が設けられ、この磁石１１とディスク受け台９に設けられた磁石１２との間における吸引力によって光磁気ディスク５の脱落を防いでいる。
【０００５】
【発明が解決しようとする課題】
上述したようなＣＤ１等の再生専用型媒体（音楽用、データ用等）の情報を再生するドライブ装置（ＣＤプレイヤー等）は再生専用であり、ユーザが作成したデータを記録することはできなかった。このため、ユーザはデータ蓄積用の別の記録可能な媒体すなわち書換型記録媒体を用意する必要があり、これに伴い、例えばパソコンにＣＤプレイヤーが内蔵された装置においては書換型記録媒体を記録再生するためのドライブ装置を新たに設ける必要があり、その結果、余分なスペースが必要となり、部品点数が増えコスト高になるという問題がある。また、従来においては、ハブ無しの再生専用型媒体とハブ付きの書換型記録媒体とのどちらにも使用できるようなドライブ装置は存在していなかった。
【０００６】
【課題を解決するための手段】
請求項１記載の発明では、ディスクを回転させる機構と、前記ディスクに対して回転中心位置を決めるための中心位置決め軸と前記ディスク面を回転保持させるためのディスクチャック部とを有するチャッキング機構と、ハブを有さずセンターホールにより前記チャッキング機構にチャッキングされる第１のディスクがセットされる領域と前記中心位置決め軸と嵌合する中心穴を有するハブにより前記チャッキング機構にチャッキングされる第２のディスクを収納するカートリッジがセットされる領域と該カートリッジを係止するための係止手段とを有するディスクローディング機構と、回転中のディスクからの情報の記録又は再生を行う光ピックアップと、を有し、前記ディスクチャック部は、前記中心位置決め軸と同軸でその軸に垂直な平面で切り取られた前記第１及び第２のディスクを受けるディスク受け面が形成された円筒状のディスク受け台と、該ディスク受け台の円筒内部に位置し、前記中心位置決め軸に対して摺動する弾性体により支持された前記第１のディスクのセンターホールと嵌合するディスク面位置決め部材とを備え、前記第１及び第２のディスクがチャッキングされていない状態では、前記ディスク面位置決め部材は前記弾性体により前記ディスク面位置決め部材の外径部分が前記ディスク受け面よりも突き出るように支持されており、前記第１のディスクがチャッキングされる状態では、該第１のディスクのセンターホールが前記ディスク面位置決め部材の外径部分と嵌合することにより回転中心位置を決め、前記第２のディスクがチャッキングされる状態では、該第２のディスクのハブが前記ディスク面位置決め部材を押圧して前記弾性体を圧縮し、前記ハブに設けられた中心穴が前記中心位置決め軸と嵌合することにより回転中心位置を決める。
【０００７】
請求項２記載の発明では、請求項１記載の発明において、前記ディスクローディング機構を、前記第１のディスク又は前記カートリッジがセットされる領域と前記係止手段とが略同一のローディング領域内に形成されたキャディーにより構成した。
【０００８】
請求項３記載の発明では、請求項２記載の発明において、前記キャディーは、さらに光ピックアップ部をアクセスするためのアクセス用開口部と、このアクセス用開口部とは反対側の面に前記第１のディスクを押えるディスク面押え部材を挿入するための挿入用開口部とを有する。
【０００９】
請求項４記載の発明では、ディスクを回転させる機構と、前記ディスクに対して回転中心位置を決めるための中心位置決め軸と前記ディスク面を回転保持させるためのディスクチャック部とを有するチャッキング機構と、ハブを有さずセンターホールにより前記チャッキング機構にチャッキングされる第１のディスクがセットされる領域と前記中心位置決め軸と嵌合する中心穴を有するハブにより前記チャッキング機構にチャッキングされる第２のディスクを収納するカートリッジがセットされる領域と該カートリッジを係止するための係止手段とを有するディスクローディング機構と、前記ディスクチャッキング機構と前記ディスクを挟んで反対側から前記第１のディスク又は前記カートリッジを押圧するディスク面押え機構と、回転中のディスクからの情報の記録又は再生を行う光ピックアップと、を有し、前記ディスクチャック部は、前記中心位置決め軸と同軸でその軸に垂直な平面で切り取られた前記第１及び第２のディスクを受けるディスク受け面が形成された円筒状のディスク受け台を備え、前記ディスク面押え機構は、前記第１のディスクのディスク面を押圧する押圧部と該押圧部よりも突出し、中心穴を有する位置決め部と、を備え、前記第１のディスクがチャッキングされる状態では、前記押圧部により前記第１のディスクのディスク面を押圧しながら前記位置決め部の中心穴に前記中心位置決め軸を嵌合させるとともに、前記位置決め部を前記第１のディスクのセンターホールに嵌合させることにより回転中心位置を決め、前記第２のディスクがチャッキングされる状態では、前記ディスク面押え機構がカートリッジを押圧しながら前記ハブに設けられた中心穴が前記中心位置決め軸と嵌合することにより回転中心位置を決める。
【００１０】
請求項５記載の発明では、請求項４記載の発明において、前記ディスクローディング機構を、前記第１のディスク又は前記カートリッジがセットされる領域と前記係止手段とが略同一のローディング領域内に形成されたキャディーにより構成した。
【００１１】
請求項６記載の発明では、請求項５載の発明において、前記キャディーは、さらに光ピックアップ部をアクセスするためのアクセス用開口部と、前記ディスク面押え機構とを有する。
【００１６】
【作用】
請求項１記載の発明においては、第１及び第２のディスクがチャッキングされていない状態では、ディスク面位置決め部材は弾性体によりディスク面位置決め部材の外径部分がディスク受け面よりも突き出るように支持され、第１のディスクがチャッキングされる状態では、該第１のディスクのセンターホールがディスク面位置決め部材の外径部分と嵌合することにより回転中心位置が決められ、第２のディスクがチャッキングされる状態では、該第２のディスクのハブがディスク面位置決め部材を押圧して弾性体を圧縮し、ハブに設けられた中心穴が中心位置決め軸と嵌合することにより回転中心位置が決められる。
【００１９】
請求項４記載の発明においては、第１のディスクがチャッキングされる状態では、押圧部により第１のディスクのディスク面を押圧しながら位置決め部の中心穴に中心位置決め軸が嵌合されるとともに、位置決め部を第１のディスクのセンターホールに嵌合させることにより回転中心位置が決められ、第２のディスクがチャッキングされる状態では、ディスク面押え機構がカートリッジを押圧しながらハブに設けられた中心穴が中心位置決め軸と嵌合することにより回転中心位置が決められる。
【００２６】
【実施例】
本発明の第一の実施例を図１〜図７に基づいて説明する。なお、従来例（図１０〜図１２）と同一部分については同一符号を用いる。
【００２７】
まず、光ディスク駆動装置のディスクローディング機構の構成を中心に説明する。光ディスク駆動装置としてのＣＤプレイヤーは、ディスクをローディングするためのディスクローディング機構として受け皿状のトレイ１３を備えている。図１は、そのトレイ１３の表面形状を示し、このトレイ１３のローディング領域内には再生専用型媒体がセットされる円形の窪み１４（領域）が形成されている。この窪み１４が形成された略同一のローディング領域内には、書換型記録媒体がセットされる角が四角形状をした窪み１５（領域）が重ねた状態で形成されている。この窪み１５の一部には、書換型記録媒体を係止するための係止手段としての凸状の切欠部１６が形成されている。また、ローディング領域の中央付近には、光ピックアップ部（図示せず）をアクセスするための開口部１７が形成されている。
【００２８】
ここで、再生専用型媒体としては、直径１２ｃｍのＣＤ１（図１０参照）を用いることができ、また、書換型記録媒体としては、図２に示すようなカートリッジ４内に収納された３．５インチのハブ６付きの光磁気ディスク５を用いることができる。ただし、このカートリッジ４には、前記トレイ１３側の凸状の切欠部１６に係止するための凹状の切欠部１８が形成されている。図３は、トレイ１３上の窪み１５にカートリッジ４をセットしたときの係止領域を拡大して示すものである。この場合、カートリッジ４はシャッター７を開いた状態で切欠部１６，１８において係止され、このようにしてセットされた状態でユーザからのロード命令（トレイ１３を押し込んだり、ロードスイッチを押したりする）によって、装置内に光磁気ディスク５を引き込むことができる。また、ＣＤ１も同様にして、トレイ１３上の窪み１４にセットした後、ユーザからのロード命令によって装置内に引き込むことができる。従って、ＣＤ１をセットするための窪み１４が形成されたトレイ１３上の略同一のローディング領域内に、光磁気ディスク５を収納したカートリッジ４をセットするための窪み１５を重複して形成すると共に、切欠部１６，１８を形成することによって、１つの筐体で再生専用型媒体と書換型記録媒体とを確実にロードさせることができる。
【００２９】
次に、光ディスク駆動装置のチャッキング機構の構成を中心に説明する。前述したようにＣＤ１及び光磁気ディスク５を収納したカートリッジ４は引き込まれた後チャッキング機構によってチャッキングされるが、ＣＤ１はハブ無しの直径１５ｍｍのセンターホール３を用いてチャッキングされるのに対して、ハブ６付きの光磁気ディスク５の場合、国際標準化された３．５インチを例にとると、図４に示すような外径が直径１５ｍｍで、軸合わせのための中心穴６ａが直径４ｍｍのハブ６を用いてチャッキングがなされる。
【００３０】
そこで、このようなハブ付き、ハブ無しの両方のディスクを確実にチャッキングするために、図５に示すようなチャッキング機構１９の構造にした。すなわち、チャッキング機構１９は、ハブ付き、ハブ無しのディスクに対して回転中心位置を決めるための中心位置決め軸としての直径４ｍｍのセンターシャフト２０と、ディスク面を回転保持させるためのディスクチャック部２１とからなっている。このディスクチャック部２１は、センターシャフト２０と同軸で直径１６ｍｍ以上の内径と直径２１ｍｍ以下の外径とをもちその中心軸に垂直な平面で切り取られたディスク受け面２２が形成された円筒状のディスク受け台２３と、このディスク受け台２３の円筒内部に位置しセンターシャフト２０に対して摺動する弾性体２４により支持された外径１５ｍｍのハブ無しディスク用のディスク面位置決め部材２５とからなっている。この場合、弾性体２４としては、ゴム、スプリングなどが用いられ、ディスクがまだチャックされていない状態では、ディスク面位置決め部材２５の外径１５ｍｍの部分が、ディスク受け台２３よりも１ｍｍ以上突き出るように支持する。また、ディスク面位置決め部材２５は、センターシャフト２０と最大でも３０μｍ以下の公差で同軸度を保っている。
【００３１】
図６は、ハブ無しディスクをチャッキング機構１９を用いてチャックする場合の様子を示す。ＣＤ１のセンターホール３は、ディスク面位置決め部材２５の外径部分で嵌合しこれにより回転中心位置が決まり、軸方向の位置はディスク受け台２３のディスク受け面２２によって決まる。また、ＣＤ１はディスク受け台２３と反対側の面からディスク面押え部材２６によって押えられる。これにより、ディスク受け台２３に連結された回転軸２７によりＣＤ１を回転させても、回転中のばたつきを抑制することができる。このようにしてハブ無しディスクのチャッキング処理を確実に行うことができる。
【００３２】
また、図７は、ハブ付きの光磁気ディスク５をチャッキング機構１９を用いてチャックした場合の様子を示す。ハブ６に設けられた磁石１１とディスク受け台２３の下部に設けられた磁石１２との間の吸引力によって、ディスク面位置決め部材２５は下方に押し込まれ、弾性体２４は縮んでいき、ハブ６の中心穴６ａとセンターシャフト２０とが嵌合する。このようなハブ付きディスクは、カートリッジ４に収納された形でチャッキングされるため、前述したようなディスク面押え部材２６を用いてカートリッジ４の上面を押えることによって、回転中にカートリッジ４がトレイ１３から浮き上がることを防止することができる。従って、センターシャフト２０によってハブ付きディスクの中心位置決めを行い、また、ディスク受け台２３のディスク受け面２２でディスク面を支持することによって、ハブ付きディスクのチャッキング処理を確実に行うことができる。
【００３３】
次に、本実施例においては、以下に順次述べるような構成要件を付加することもできる。まず、書換型記録媒体として前述したような光磁気記録媒体（光磁気ディスク５）を用いる場合、光ディスク駆動装置内の光ピックアップ部を光磁気記録信号を検出できるような構成とする。この場合、光ピックアップ部から出射された直線偏光を光磁気記録媒体に照射し、その媒体からの反射光における偏光面の変化を読取るような光学系を設けることによって光磁気記録信号を確実に検出できる。これにより、光磁気記録方式の媒体に対しても情報の読取り動作を確実に行える光ディスク駆動装置を提供することができる。
【００３４】
また、光磁気記録媒体に記録を行うためには、光ピックアップ部内にその記録するために必要かつ十分な光パワーをもつレーザ光源を設けると共に、このレーザ光源から光磁気記録媒体にレーザビームが照射されている領域の近傍に磁界を発生させる磁界発生手段を設ける。この場合、レーザ光源の光パワーとしては、少なくとも２ミリワット以上の値が必要であり、好ましくは５〜１３ミリワット程度がよい。また、磁界発生手段としては、永久磁石や電磁石を用いることができ、磁石の向きや、磁石の電流を流す方向は、消去又は再生モード時に所望の方向への磁界が発生するようにする。これにより、光磁気記録方式の媒体に対しても情報の書込み動作を確実に行える光ディスク駆動装置を提供することができる。
【００３５】
さらに、書換型記録媒体として追記型記録媒体や相変化型記録媒体を用いる場合、光ピックアップ部がそのような媒体に対して記録するために必要かつ十分な光パワーを発するレーザ光源を設ける。この場合、相変化型記録媒体を例にとると、レーザ光源の光パワーとしては、少なくとも２ミリワット以上の値が必要であり、好ましくは５〜２０ミリワット程度がよい。これにより、追記型や相変化型の媒体に対しても情報の書込み動作を確実に行える光ディスク駆動装置を提供することができる。また、このような媒体を用いる場合には、前述したような磁界発生手段は不要であり、装置を一段とコンパクトな構成とすることができる。
【００３６】
次に、本発明の第二の実施例を図８に基づいて説明する。本実施例では、前述した第一の実施例に対してチャッキング機構１９のディスクチャック部２１の構造を変更させたものである。すなわち、ディスクチャック部２１は、前述したような円筒状のディスク受け台２３と、直径４ｍｍのセンターシャフト２０と嵌合する穴２８をもつ外径１５ミリの位置決め部２９と直径６０ｍｍ以下の押圧部３０とが形成されたディスク面押え機構３１とから構成されている。
【００３７】
そして、ハブ無しディスク（ＣＤ１）をチャックする場合には、図８に示すように、位置決め部２９の中心の穴２８にセンターシャフト２０を嵌合させると共に、位置決め部２９の凸部をＣＤ１のセンターホール３に嵌合させることによって、ディスク面の中心位置を回転軸２７に一致させ、押圧部３０でディスク面の押えを行う。なお、ディスク面の押え効果を高めるために、位置決め部２９内に磁石（図示せず）を設けてもよい。また、ハブ付きディスク（光磁気ディスク５）をチャックする場合には、ハブ６の内径４ｍｍの中心穴６ａにセンターシャフト２０を嵌合させて中心位置を決め、ディスクを収納したカートリッジ４の上面をディスク面押え機構３１により押え、回転時にカートリッジ４がトレイ１３から浮き上がることを防止する。従って、穴２８をもつ位置決め部２９と押圧部３０とが形成されたディスク面押え部材３１を用いて回転中心位置を決め固定保持することによって、ハブ無し（再生専用型媒体）、ハブ付き（書換型記録媒体）の両方の媒体に対して確実なチャッキング処理を行うことができる。
【００３８】
次に、本発明の第三の実施例を図９に基づいて説明する。前述した第一及び第二の実施例ではディスクローディング機構１３としてトレイタイプについて述べたが、ここではキャディータイプについて述べる。従来例でも述べたように、ＣＤ系の再生専用型媒体はキャディーと呼ばれる専用のケースに収納されて用いられる場合がある。そこで、本実施例では、そのキャディーを再生専用型媒体のみならず、書換型記録媒体にも適用できるようにした。
【００３９】
図９は、キャディー３２の外観構成を示すものであり、この内部には、前述した図１と同様に、再生専用型媒体がセットされる窪み１４が形成されており、この窪み１４と同一領域内に書換型記録媒体がセットされる窪み１５が形成されている。この場合、係止方法としては、前述したようなカートリッジ４を係止するための係止手段１６（図１参照）を設けたり、カートリッジ４に外接しキャディー３２に内接するようなアダプタを用いてもよい。
【００４０】
また、キャディー３２の一面には、光ピックアップ部をアクセスするためのアクセス用開口部３３が形成され、その反対側の面には前述したようなディスク面押え部材（図６のディスク面押え部材２６を参照）を外部から挿入するための挿入用開口部３４が形成されている。この場合、ロード時に直径４ｍｍのセンターシャフト２０と嵌合し、外径が１５ｍｍのディスク面押え部材（図８のディスク面押え部材２６を参照）をキャディー３２内に備えるように構成してもよく、このような構成のときには挿入用開口部３４は不要となる。なお、ディスク面押え部材は、着脱式としてもよい。従って、このようにアクセス用開口部３３や挿入用開口部３４を形成したり、ディスク面押え部材をキャディー３２に内包させたりすることによって、ハブ無しの再生専用型媒体、及び、ハブ付きの書換型記録媒体を収納したカートリッジ４に対して、キャディータイプの場合においても確実にチャッキング処理を行うことができる。
【００４１】
【発明の効果】
本発明によれば、ハブ無しディスク及びハブ付きディスクの両方のディスク面の確実なチャッキング処理を行うことができる。
【図面の簡単な説明】
【図１】本発明の第一の実施例であるトレイタイプのディスクローディング機構の形状を示す平面図である。
【図２】書換型記録媒体が収納されたカートリッジの形状を示す平面図である。
【図３】図２のシャッター及び係止部分を拡大して示す平面図である。
【図４】ハブ付き媒体のハブ部の形状を示す断面図である。
【図５】チャッキング機構を示す断面図である。
【図６】ハブ無し媒体をチャッキングしたときの様子を示す断面図である。
【図７】ハブ有り媒体をチャッキングしたときの様子を示す断面図である。
【図８】本発明の第二の実施例であるハブ無し媒体をチャッキングしたときの様子を示す断面図である。
【図９】本発明の第三の実施例であるディスクローディング機構を構成するキャディーの外観形状を示す斜視図である。
【図１０】再生専用型媒体の外観形状を示す斜視図である。
【図１１】書換型記録媒体が収納されたカートリッジの従来の形状を示す平面図である。
【図１２】ハブ付き媒体をチャッキングする従来の方式を示す断面図である。
【符号の説明】
１            再生専用型媒体
４            カートリッジ
５            書換型記録媒体
１３          ディスクローディング機構（トレイ）
１４，１５    領域
１６          係止手段
１９          チャッキング機構
２０          中心位置決め軸
２１          ディスクチャック部
２２          ディスク受け面
２３          ディスク受け台
２４          弾性体
２５          ディスク面位置決め部材
２８          穴
２９          位置決め部
３１          ディスク面押え部材
３２          ディスクローディング機構（キャディー）
３３          アクセス用開口部
３４          挿入用開口部
【図１】
0003544393.tif 000002
【図２】
0003544393.tif 000003
【図３】
0003544393.tif 000004
【図４】
0003544393.tif 000005
【図５】
0003544393.tif 000006
【図６】
0003544393.tif 000007
【図７】
0003544393.tif 000008
【図８】
0003544393.tif 000009
【図９】
0003544393.tif 000010
【図１０】
0003544393.tif 000011
【図１１】
0003544393.tif 000012
【図１２】
0003544393.tif 000013